(57)【要約】【課題】雨水をタンクに溜め、その水をガーデニングの散水設備に直接給水できるようにする一方、タンクの水を屋根に送給して屋根散水管で夏季の屋根冷却や冬季の積雪除去に供することのできる雨水利用の給水装置を提供する。【解決手段】建物Ｈに隣接して貯水タンク１及び給水用ポンプ２を設け、貯水タンク１には、建物Ｈの屋根Ｒに設けられた雨樋３に上端部を接続した雨水流入管４の下端部をフィルター５を介して接続すると共に、給水用ポンプ２によって吸引した貯水タンク１内の水を排出供給する主給水管６を延設し、この主給水管６を、ガーデニング用散水設備７の給水ホース８にタイマー９を介して接続すると共に、屋根Ｒに設けた屋根散水管１０に屋根用給水管１１及び開閉弁１２を介して接続する。【選択図】図１
2007303163.tif 000002
【特許請求の範囲】
【請求項１】
建物に隣接して貯水タンク及び給水用ポンプを設け、貯水タンクには、建物の屋根に設けられた雨樋に上端部を接続した雨水流入管の下端部をフィルターを介して接続すると共に、給水用ポンプによって吸引した貯水タンク内の水を排出供給する主給水管を延設し、この主給水管を、ガーデニング用散水設備の給水ホースにタイマーを介して接続すると共に、建物の屋根に設けた屋根散水管に屋根用給水管及び開閉弁を介して接続するようにしてなる雨水利用の給水装置。
【請求項２】
前記貯水タンクに水道給水管を導入し、この水道給水管の導入部には、貯水タンク内の水位が所定の下限レベルまで下がった時に貯水タンク内に水道給水管より水道水を所定の上限レベルまで補給するための水道水補給手段を設けてなる請求項１に記載の雨水利用の給水装置。
【請求項３】
前記主給水管を更に水洗トイレの水槽にトイレ用給水管及び開閉弁を介して接続してなる請求項１又は２に記載の雨水利用の給水装置。
【発明の詳細な説明】
【技術分野】
【０００１】
本発明は、雨水を利用した給水装置に関するものである。
【背景技術】
【０００２】
従来より、雨水をタンクに溜めて、その雨水をガーデニングの散水や風呂用水等として使用するようにした設備は種々知られている。しかしながら、従来の設備は、雨天時等に家屋の屋根から雨樋を介して流入する雨水をただタンクに溜めるだけのもので、タンクに溜まった水は、使用者がその都度手作業でバケツ等に汲み入れ、所定の場所まで運んで行って、散水などに使用していた。
【発明の開示】
【発明が解決しようとする課題】
【０００３】
上記のように従来にあっては、雨水をタンクに溜めるだけで、そのタンクの雨水を、ガーデニングの散水場所等まで運ぶ必要があるため、その運搬作業に非常な困難を来たし、また例えば旅行などで家を留守にする時にはガーデニングの散水が行なえず、特に夏場のように殆ど毎日のように水やりを必要とする場合には家を留守にできない、という問題があった。
【０００４】
そこで、本発明は、雨水をタンクに溜め、その水をガーデニングの散水設備に直接給水してガーデニングの散水を自動的に行なえるようにする一方、タンクの水を屋根に送給して屋根散水管で散水することにより夏季の屋根冷却や冬季の積雪防止に供することができる雨水利用の給水装置を提供することを目的とする。
【課題を解決するための手段】
【０００５】
上記課題を解決するための手段を、後述する実施形態の参照符号を付して説明すると、請求項１に係る発明の雨水利用の給水装置は、建物Ｈに隣接して貯水タンク１及び給水用ポンプ２を設け、貯水タンク１には、建物Ｈの屋根Ｒに設けられた雨樋３に上端部を接続した雨水流入管４の下端部をフィルター５を介して接続すると共に、給水用ポンプ２によって吸引した貯水タンク１内の水を排出供給する主給水管６を延設し、この主給水管６を、ガーデニング用散水設備７の給水ホース８にタイマー９を介して接続すると共に、建物Ｈの屋根Ｒに設けた屋根散水管１０に屋根用給水管１１及び開閉弁１２を介して接続するようにしてなることを特徴とする。
【０００６】
請求項２は、請求項１に記載の雨水利用の給水装置において、前記貯水タンク１に水道給水管２２を導入し、この水道給水管２２の導入部２２ａには、貯水タンク１内の水位が所定の下限レベルＷＬ１まで下がった時に貯水タンク１内に水道給水管２２より水道水を所定の上限レベルＷＬ２まで補給するための水道水補給手段２１を設けてなることを特徴とする。
【０００７】
請求項３は、請求項１又は２に記載の雨水利用の給水装置において、前記主給水管６を更に水洗トイレ１３の水槽１４にトイレ用給水管１５及び開閉弁１６を介して接続してなることを特徴とする。
【発明の効果】
【０００８】
上記解決手段による発明の効果を、後述する実施形態の参照符号を付して説明すると、請求項１に係る発明の雨水利用の給水装置は、貯水タンク１及び給水用ポンプ２を設け、貯水タンク１には、雨樋３に接続した雨水流入管４をフィルター５を介して接続すると共に、給水用ポンプ２によって吸引した貯水タンク１内の水を排出供給する主給水管６を、ガーデニング用散水設備７の給水ホース８にタイマー９を介して接続していることから、タイマー９でガーデニング用散水設備７の散水時間を設定しておくことにより、その設定した時間だけ散水設備７によるガーデニングへの散水を自動的に行なわせることができ、従って旅行などで家を留守にする時などに非常に有効である。
【０００９】
また、主給水管６は、屋根用給水管１１及び開閉弁１２を介して屋根散水管１０に接続されているから、例えば真夏の暑い日には開閉弁１２を開放することにより、貯水タンク１から屋根用給水管１１によって供給されている水が屋根散水管１０により屋根Ｒの上に散水されて、屋根Ｒを冷却することができるし、また冬季には、屋根散水管１０から噴射される水によって、屋根Ｒの積雪を除去することができる。また屋根Ｒに散水した水は、雨樋３で受けられて雨水流入管４に流れ込み、フィルター５で塵等を除去して、貯水タンク１に回収することができる。
【００１０】
請求項２に係る発明によれば、貯水タンク１に水道給水管２２を導入し、この水道給水管２２の導入部２２ａには、貯水タンク１内の水位が所定の下限レベルＷＬ１まで下がった時に貯水タンク１内に水道給水管２２より水道水を所定の上限レベルＷＬ２まで補給するための水道水補給手段２１を設けているため、雨が降らない日が続くなどして、貯水タンク１内の水位が下限レベルＷＬ１まで下がれば、水道給水管２２から水道水が供給されることになり、従って貯水タンク１内には常に一定量の水を溜めておくことができる。この場合、給水用ポンプ２の吸入管１８の下端を下限レベルＷＬ１より下位に位置させることによって、給水用ポンプ２の空運転を防止できる。
【００１１】
請求項３に係る発明のように、主給水管６を更に水洗トイレ１３の水槽１４にトイレ用給水管１５及び開閉弁１６を介して接続することにより、地震などの災害によって水道が断水した時には、開閉弁１６を開放することにより、貯水タンク１内の水をトイレ用給水管１５から水洗トイレ１３の水槽１４に水を供給して、水洗トイレ１３を使用することができる。
【発明を実施するための最良の形態】
【００１２】
以下に本発明の好適な実施形態を図面に基づいて説明すると、図１は本発明に係る雨水利用給水装置の全体を概略的に示す斜視図、図２は雨水利用給水装置のブロック線図である。この雨水利用の給水装置は、家屋Ｈに隣接して屋外に貯水タンク１及び給水用ポンプ２を設け、貯水タンク１には、家屋Ｈの屋根Ｒに設けられた雨樋３に上端部を接続した雨水流入管４の下端部をフィルター５を介して接続し、また貯水タンク１からは、給水用ポンプ２によって吸引した貯水タンク１内の水を排出供給する主給水管６を延設し、この主給水管６を、ガーデニング用散水設備７の給水ホース８にタイマー９を介して接続すると共に、家屋Ｈの屋根Ｒに設けた屋根散水管１０に屋根用給水管１１及び手動操作用開閉弁１２を介して接続し、更に主給水管６を水洗トイレ１３の水槽１４にトイレ用給水管１５及び手動操作用開閉弁１６を介して接続してなるものである。
【００１３】
図１に示すように、貯水タンク１は、取付基枠１７に固定されて、家屋Ｈに隣接する地上に設置されており、給水用ポンプ２は、貯水タンク１の上に設置されていて、吸入管１８によりタンク１内の水を吸引し、吐出口に接続された主給水管６によって排出するようになっている。主給水管６の先端部には蛇口１９が設けられていて、この蛇口１９の設けられた主給水管６の先端部側は固定支柱２０に支持固定されている。この実施形態では、貯水タンク１は、地上に設置する地上設置型を例示しているが、必要によっては地下に埋設する地下埋設型としてもよい。
【００１４】
図１及び図２において、２１は水道水補給手段で、図２に示すように、貯水タンク１に水道給水管２２を導入し、この水道給水管２２の導入部２２ａには、貯水タンク１内の水位が所定の下限レベルＷＬ１まで下がった時に貯水タンク１内に水道給水管２２より水道水を所定の上限レベルＷＬ２まで補給するようになっている。２３は水道水補給手段２１の弁機構となるボールタップで、図２に示すように、貯水タンク１内の下限水位である下限レベルＷＬ１を検知した時は、開閉弁（図示せず）を開放して、水道給水管２２の導入部２２ａから水道水を貯水タンク１内に供給し、貯水タンク１内の上限水位である上限レベルＷＬ２を検知すると、前記開閉弁を閉じて水道給水管２２のからの水道水の供給を停止する。尚、吸入管１８は、その下端が下限レベルＷＬ１よりも下位に位置するように設けられる。
【００１５】
前記屋根散水管１０は、長手方向に一定ピッチで散水孔２４…を設けた合成樹脂製又は金属製のパイプからなるもので、屋根Ｒの頂部に設置されていて、貯水タンク１から屋根用給水管１１により供給される水を散水孔２４…から図１に示すような噴射水２５を噴出させるようになっている。この屋根散水管１０を使用する時は、開閉弁１２を手動で開放し、使用しない時は手動で閉じればよい。
【００１６】
尚、図示は省略するが、貯水タンク１にはヒーターが設置されており、しかして冬季において屋根Ｒに積もった雪又は積もりつつある雪を溶かすために屋根散水管１０を使用する場合には、そのヒーターにより貯水タンク１内の水を例えば２０〜３０℃に加熱しておいて、その加熱水を屋根散水管１０から噴射させるようになっている。
【００１７】
前記トイレ用給水管１５は、水洗トイレ１３の水槽１４に接続配管されている水道給水管（図示せず）とは別に水槽１４に接続配管されたもので、例えば地震の発生によって水道が断水した時には、開閉弁１６を手動によって開放し、水道の断水が解除された時に、その開閉弁１６を閉じればよい。
【００１８】
ガーデニング用散水設備７は、例えば図１に簡単に示すように、庭の花壇等の所定位置に設置して散水を行なうスプリンクラー２６を有し、このスプリンクラー２６は、主給水管６の先端部に設けてある蛇口１９にタイマー９を介して取り付けられた給水ホース８によって給水される。
【００１９】
上記のように構成される雨水利用給水装置の使用方法について説明すれば、貯水タンク１には、降雨時に家屋Ｈの屋根Ｒから雨樋３に流れ込んだ雨水が、雨水流入管４からフィルター５を介して流入される。雨水中の塵等は雨水流入管４の途中にあるフィルター５で除去され、清浄な雨水のみが貯水タンク１に貯留されるようになっている。給水用ポンプ２は、常時起動していて、貯水タンク１内の水を吸入管１８により吸引して、主給水管６から排出させるようになっている。
【００２０】
図１では図示を省略しているが、主給水管６先端部の蛇口１９には、ガーデニング用散水設備７の給水ホース８がタイマー９を介して接続されるから、蛇口１９のコックを開いた状態にしておいて、タイマー９でスプリンクラー２６の散水時間を設定することによって、その設定した時間だけスプリンクラー２６による散水を自動的に行なわせることができ、従って旅行などで家を留守にする時などに非常に有効である。
【００２１】
また、主給水管６は、屋根用給水管１１及び手動操作用開閉弁１２を介して屋根散水管１０に接続されているから、例えば真夏の暑い日には開閉弁１２を開放することにより、貯水タンク１から屋根用給水管１１により供給されている水が屋根散水管１０の散水孔２４…より屋根Ｒ上に散水されて、屋根Ｒを冷却することができる。また、冬季に雪が降りそうな時には、貯水タンク１内の水をヒーター（図示せず）によって所要温度に加熱しておくことにより、屋根散水管１０から噴射される温水によって、屋根Ｒに積もった雪又は積もりつつある雪を溶かし、積雪を除去することができる。屋根Ｒ上に散水された水は、雨樋３で受けられて雨水流入管４に流れ込み、フィルター５によって塵等を除去されて、貯水タンク１に回収される。
【００２２】
またトイレ用給水管１５に設けている開閉弁１６は、常時は閉じた状態にしているが、例えば地震の発生によって水道が断水した時には、この開閉弁１６を手動で開放することにより、貯水タンク１内の水をトイレ用給水管１５から水洗トイレ１３の水槽１４に水を供給して、水洗トイレ１３を使用することができる。
【００２３】
また、貯水タンク１には水道給水管２２が導入され、この水道給水管２２の導入部２２ａには、貯水タンク１内の水位が所定の下限レベルＷＬ１まで下がった時に貯水タンク１内に水道給水管２２より水道水を所定の上限レベルＷＬ２まで補給するための水道水補給手段２１が設けてあるため、雨の降らない日が続いて、貯水タンク１内の水位が下限レベルＷＬ１まで下がった時には、水道給水管２２から水道水が供給されることになり、従って貯水タンク１内には常に一定水位以上の水を溜めておくことができる。この場合、吸入管１８の下端が下限レベルＷＬ１より下位に位置するようにしているから、給水用ポンプ２が空運転するおそれがない。
【００２４】
また、水道給水管２２からの水道水によって貯水タンク１内の水位が上限レベルＷＬ２を越えた時は開閉弁を閉じて水道給水管２２のからの水道水の供給が停止されるが、雨水流入管４から流入した雨水や水道給水管２２からの水道水によって貯水タンク１内の水位が上限レベルＷＬ２を越えた時は、図２に示すように設けられたオーバーフロー管３３によって貯水タンク１の外へ排出される。このオーバーフロー管３３には開閉弁３４を設けるとよい。
【図面の簡単な説明】
【００２５】
【図１】本発明に係る雨水利用給水装置の全体を概略的に示す斜視図である。
【図２】雨水利用給水装置のブロック線図である。
【符号の説明】
【００２６】
１              貯水タンク
２              給水用ポンプ
３              雨樋
４              雨水流入管
５              フィルター
６              主給水管
７              ガーデニング用散水設備
８              給水ホース
１０            屋根散水管
１１            屋根用給水管
１２            開閉弁
１３            水洗トイレ
１４            水槽
１６            開閉弁
２１            水道水補給手段
２２            水道給水管
【図１】
2007303163.tif 000003
【図２】
2007303163.tif 000004